(57)【特許請求の範囲】
【請求項１】
外気との熱交換により原水を空冷する空冷部が備えられ、該空冷部にて使用された外気が排出されるように構成されてなる冷却塔であって、
前記空冷部として、直接接触熱交換器と間接接触熱交換器とが設けられ原水の一部を直接接触熱交換器で空冷し他を間接接触熱交換器で空冷する第１空冷部と、直接接触熱交換器が設けられ第１空冷部で空冷された原水を直接接触熱交換器で更に空冷する第２空冷部とが備えられ、第１空冷部で使用された外気と第２空冷部で使用された外気とが混合されて排出されるように構成されてなり、
前記第１空冷部には、直接接触熱交換器又は間接接触熱交換器に供給される原水の量を調整する流量調整機構が備えられ、
前記空冷部に供給される外気の温度を測定する外気温度測定手段が備えられ、得られた測定値に基づいて、前記第１空冷部では、前記流量調整機構により、直接接触熱交換器又は間接接触熱交換器に供給される原水の流量が調整されるように構成されてなることを特徴とする冷却塔。
【請求項２】
前記第１空冷部は、外側から外気を導入し得るように塔の外縁部に沿って備えられてなり、前記第１空冷部の間接接触熱交換器は、外側に配され、前記第１空冷部の直接接触熱交換器は、該間接接触熱交換器よりも内側で該間接接触熱交換器に隣接するように配置されてなる請求項１記載の冷却塔。
【請求項３】
前記外気温度測定手段によって測定された測定値が基準値以下若しくは基準値未満の場合に、前記第１空冷部では、前記流量調整機構が制御されて、前記直接接触熱交換器に供給される原水の流量が該直接接触熱交換器の基準流量よりも少ない量に抑制され、又は前記間接接触熱交換器に供給される原水の流量が該間接接触熱交換器の基準流量よりも多い量に増加されるように構成されてなる請求項１又は２記載の冷却塔。
【発明の詳細な説明】
【技術分野】
【０００１】
本発明は、冷却塔に関し、詳しくは、外気との熱交換により原水を空冷する空冷部が備えられ、該空冷部にて使用された外気が排出されるように構成されてなる冷却塔に関する。
【背景技術】
【０００２】
従来より、この種の冷却塔は、例えば、ビル等の空調設備や工場設備等で温まった冷却用水たる原水を冷却して再利用するために用いられる。
【０００３】
斯かる冷却塔としては、供給された外気に原水を直接接触させて冷却する直接接触熱交換器（例えば、充填材シートが積層された充填材ユニットが設けられてなる熱交換器）が備えられてなるものや、外気に原水を間接的に接触させて冷却する間接接触熱交換器（例えば、フィンチューブが設けられてなる熱交換器）が備えられてなるものが挙げられる。
【０００４】
直接接触熱交換器が備えられてなる冷却塔は、冷却すべき原水が該原水よりも温度の低い外気に直接接触されることにより冷却されやすくなり、更に、原水の一部が気化することによる熱吸収により残りの原水の熱が吸収されて該残りの原水がより一層冷却されるため、原水の冷却効率が高いという利点がある。
しかるに、斯かる冷却塔は、原水の一部が気化することにより、原水の冷却に使用された外気に水蒸気が多く含まれてしまうため、該外気が排出される際に白煙となって排出されてしまう。その結果、この白煙により、「視界の妨げ」、「火災の誤認」、「近隣住民の不快感」などを引き起こしてしまうという問題がある。
【０００５】
一方、間接接触熱交換器が備えられてなる冷却塔は、冷却のために供される外気に原水が直接接触されないため、斯かる外気に原水の一部が取り込まれる虞がない。従って、斯かる冷却塔は、該外気が排出される際に白煙が発生し難いという利点がある。
しかるに、斯かる冷却塔は、直接接触熱交換器が備えられてなる冷却塔ほど効率よく原水を冷却することができないため、十分な量の原水を十分な温度まで冷却するには、冷却塔自体が大規模なものとなってしまうという問題がある。
【０００６】
斯かる観点から、直接接触熱交換器と間接接触熱交換器とが設けられ原水を直接接触熱交換器及び間接接触熱交換器で空冷する空冷部が備えられ、該直接接触熱交換器内で使用された外気及び該間接接触熱交換器内で使用された外気が混合されて排出されるように構成されてなる冷却塔（例えば、特許文献１）が提案されている。
斯かる冷却塔は、直接接触熱交換器が設けられてなることにより、原水の冷却効率が高くなる。更に、斯かる冷却塔は、直接接触熱交換器で使用された外気及び間接接触熱交換器で使用された外気が混合されて排出されるように構成されてなることにより、直接接触熱交換器からの外気に含まれる水蒸気が間接接触熱交換器からの外気で希釈されて、白煙が生じ難くなるという利点がある。
【先行技術文献】
【特許文献】
【０００７】
【特許文献１】特表２００２−５１４２９３号公報
【発明の概要】
【発明が解決しようとする課題】
【０００８】
しかしながら、斯かる冷却塔でも、白煙の発生を十分に抑制し且つ十分な量の原水を十分な温度まで冷却しようとすると、冷却塔自体のコンパクト化が十分に図れないという問題がある。
【０００９】
本発明は、上記問題点に鑑み、白煙の発生を十分に抑制し且つ十分な量の原水を十分な温度まで冷却しつつ、コンパクト化を図り得る冷却塔を提供することを課題とする。
【課題を解決するための手段】
【００１０】
本発明者らが鋭意研究したところ、夏季のように外気温が高い時期は白煙が比較的生じ難いことから、外気温が高い時期に於いては、冷却効率が高い直接接触熱交換器の使用割合を高めることで、白煙の発生を抑制しつつ十分な量の原水を十分な温度まで冷却しつつ冷却塔自体のコンパクト化を図り得ることを見出した。更に、冬季のように外気温が低い時期は冷却水の使用量が少なく外気による冷却作用も高く、且つ該冷却水の温度もそれほど高まっていない時期であることから、外気温が低い時期に於いては、白煙が生じ難い間接接触熱交換器の使用割合を高めることで、白煙の発生を抑制することができ、更に冷却塔自体のコンパクト化を図っても十分な量の原水を十分な温度まで冷却し得ることを見出した。従って、本発明者らは、これらを見出したことにより、本発明の完成を想到するに至った。
【００１１】
即ち、本発明は、外気との熱交換により原水を空冷する空冷部が備えられ、該空冷部にて使用された外気が排出されるように構成されてなる冷却塔であって、
前記空冷部として、直接接触熱交換器と間接接触熱交換器とが設けられ原水の一部を直接接触熱交換器で空冷し他を間接接触熱交換器で空冷する第１空冷部と、直接接触熱交換器が設けられ第１空冷部で空冷された原水を直接接触熱交換器で更に空冷する第２空冷部とが備えられ、第１空冷部で使用された外気と第２空冷部で使用された外気とが混合されて排出されるように構成されてなり、
前記第１空冷部に、直接接触熱交換器又は間接接触熱交換器に供給される原水の量を調整する流量調整機構が備えられ、
前記空冷部に供給される外気の温度を測定する外気温度測定手段が備えられ、得られた測定値に基づいて、前記第１空冷部では、前記流量調整機構により、直接接触熱交換器又は間接接触熱交換器に供給される原水の流量が調整されるように構成されてなることを特徴とする冷却塔にある。
【００１２】
斯かる冷却塔によれば、前記流量調整機構が備えられてなることにより、外気温が高い時期に於いては、冷却効率が高い直接接触熱交換器の使用割合を高めることができるため、十分な量の原水を十分な温度まで冷却しつつ冷却塔自体のコンパクト化を図ることができる。また、外気温が高い時期に於いては、直接接触熱交換器の使用割合が高くても、白煙の原因となる排出空気の過飽和領域の割合が外気温度の上昇で減少し、白煙の発生が少なくなる。
一方で、外気温が低い時期に於いては、直接接触熱交換器の使用割合を低下させることにより、白煙が生じ難い間接接触熱交換器の使用割合を高めることができるため、白煙の発生を十分に抑制することできる。また、外気温が低い時期に於いては、直接接触熱交換部の使用割合を低下させても十分な量の原水を必要な温度まで冷却することができる。更に、前記第１空冷部と前記第２空冷部とが備えられ且つ前記第２空冷部に直接接触熱交換器が設けられてなるため、前記第１空冷部の間接接触熱交換器で冷却された原水を第２空冷部の直接接触熱交換器で原水が必要な温度まで冷却される。
従って、斯かる冷却塔によれば、白煙の発生を十分に抑制し且つ十分な量の原水を十分な温度まで冷却しつつ、コンパクト化を図り得る。
【００１３】
また、本発明に係る冷却塔においては、好ましくは、前記第１空冷部が、外側から外気を導入し得るように塔の外縁部に沿って備えられてなり、前記第１空冷部の間接接触熱交換器が、外側に配され、前記第１空冷部の直接接触熱交換器が、該間接接触熱交換器よりも内側で該間接接触熱交換器に隣接するように配置されてなる。
【００１４】
斯かる冷却塔によれば、外側には、外気導入側から原水が漏出するおそれの少ない間接接触熱交換器が配されていることから、冷却塔自体から原水が漏出されるのを抑制し得るため、第１空冷部の直接接触熱交換器から原水が漏出されるのを抑制するための手段（例えば、ルーバー等）を簡略化したり無くすることができ、その分だけ冷却塔自体のコンパクト化をより一層図りやすくなるという利点がある。
【００１５】
さらに、本発明に係る冷却塔においては、前記空冷部に供給される外気の温度を測定する外気温度測定手段が備えられ、得られた測定値に基づいて、前記第１空冷部では、前記流量調整機構により、直接接触熱交換器又は間接接触熱交換器に供給される原水の流量が調整されるように構成されてなる。
【００１６】
斯かる冷却塔によれば、前記流量調整機構を使用し、直接接触熱交換器と間接接触熱交換器との水量の配分を調整する事により、冬季と夏季との中間期での冷却性能を減ずる事なく白煙の増加を減ずる事が可能となる。
【００１７】
前記外気温度測定手段が備えられ、得られた測定値に基づいて、前記第１空冷部では、前記流量調整機構により、直接接触熱交換器又は間接接触熱交換器に供給される原水の流量が調整されるように構成されてなる冷却塔においては、好ましくは、前記外気温度測定手段によって測定された測定値が基準値以下若しくは基準値未満の場合に、前記第１空冷部では、前記流量調整機構が制御されて、前記直接接触熱交換器に供給される原水の流量が該直接接触熱交換器の基準流量よりも少ない量に抑制され、又は前記間接接触熱交換器に供給される原水の流量が該間接接触熱交換器の基準流量よりも多い量に増加されるように構成されてなる。
【００１８】
斯かる冷却塔によれば、更に、より確実に流量調整機構を調整することができるため、冷却塔自体のコンパクト化をより一層図りやすくなるという利点がある。
【発明の効果】
【００１９】
以上のように、本発明によれば、白煙の発生を十分に抑制し且つ十分な量の原水を十分な温度まで冷却しつつ、コンパクト化を図り得る冷却塔を提供することができる。
【図面の簡単な説明】
【００２０】
【図１】一実施形態に係る冷却塔の断面図。
【発明を実施するための形態】
【００２１】
以下、添付図面を参照しつつ、本発明の一実施形態について説明する。
【００２２】
図１に示すように、本実施形態の冷却塔１は、外気との熱交換により原水を空冷する空冷部２が備えられ、該空冷部２にて使用された外気が排出されるように構成されてなる。
【００２３】
また、本実施形態の冷却塔１は、その中央部に上下方向に形成された通風空間３が備えられ、該通風空間３の水平方向の周を囲むように前記空冷部２が配置されてなる。
【００２４】
さらに、本実施形態の冷却塔１は、空冷部２の外気流れ方向下流に外気の吸引排出手段としてのファン４を備え、該吸引排出手段（ファン４）により、空冷部２にて外気を吸引導入し排出するように構成されてなる。また、本実施形態の冷却塔１は、前記通風空間３の上方にファン４が配置され、該ファン４が回転することによって空冷部２の側方（具体的には、水平方向）から外気が通風空間３内へ引き込まれるように構成されている。さらに、本実施形態の冷却塔１は、外気が空冷部２の内部を通過し通風空間３内へ引き込まれるように構成されてなる。
【００２５】
また、本実施形態の冷却塔１は、空冷部２に前記原水を供給する原水供給手段５が備えられてなる。該原水供給手段５は、空冷部２の上方に配置されてなる。
【００２６】
さらに、本実施形態の冷却塔１は、空冷部２の下方に、原水が空冷部２で冷却されて生成された冷水を収容する冷水槽６が配置されてなる。
【００２７】
本実施形態の冷却塔１は、前記空冷部２として、前記原水供給手段５から供給された原水を外気により空冷する第１空冷部２１と、第１空冷部２１で空冷された原水を更に外気により空冷する第２空冷部２２とが備えられてなる。
【００２８】
本実施形態の冷却塔１は、外気が第１空冷部２１及び第２空冷部２２の内部を通過し通風空間３内へ引き込まれるように構成されてなる。
【００２９】
前記第１空冷部２１は、原水の一部を外気に直接接触させて冷却する第１直接接触熱交換器２１ａと、他の原水を外気に間接接触させて冷却する間接接触熱交換器２１ｂとが設けられてなる。
【００３０】
本実施形態の冷却塔１は、前記原水供給手段５に、第１直接接触熱交換器２１ａに原水を供給する第１原水分散槽５ａと、間接接触熱交換器２１ｂに原水を供給する原水供給部５ｂとが備えられてなる。
【００３１】
前記第１直接接触熱交換器２１ａは、突起を有する充填材シートが複数枚積層され各層間にて原水と吸引導入された外気とが熱交換される第１充填材ユニットが充填されてなる。
また、前記第１直接接触熱交換器２１ａは、第１原水分散槽５ａにより供給された原水が前記充填材シートどうしの間を流下するように構成されてなる。
【００３２】
本実施形態の冷却塔１は、第１直接接触熱交換器２１ａ内に引き込まれた外気が前記充填材シートどうしの間を水平方向に通過して該原水を直接接触により冷却するように構成されてなる。
【００３３】
前記間接接触熱交換器２１ｂは、フィンチューブを備えてなる。
また、前記間接接触熱交換器２１ｂは、原水供給部５ｂにより供給された原水がフィンチューブ内を流下するように構成され、更に、間接接触熱交換器２１ｂ内に引き込まれた外気が前記フィンチューブの周りを水平方向に通過して該原水を間接接触により冷却するように構成されてなる。
【００３４】
前記第１空冷部２１は、第１直接接触熱交換器２１ａで空冷された原水と間接接触熱交換器２１ｂで空冷された原水とを貯留し、該原水を第２空冷部２２に分散供給する第２原水分散槽２１ｃが備えられてなる。
【００３５】
また、前記第１空冷部２１は、第２原水分散槽２１ｃの上方に第１直接接触熱交換器２１ａと間接接触熱交換器２１ｂとが配置されてなり、第１直接接触熱交換器２１ａで空冷された原水と間接接触熱交換器２１ｂで空冷された原水とが重力によって流下して第２原水分散槽２１ｃに移送されるように構成されてなる。
【００３６】
前記空冷部２は、第２原水分散槽２１ｃの下方に第２空冷部２２が配置され、該第２原水分散槽２１ｃの底に複数の開口部が形成されてなる。また、前記空冷部２は、第２原水分散槽２１ｃで貯留された原水（第１空冷部２１で空冷された原水）が、該開口部から重力によって流下して第２空冷部２２に分散供給されるように構成されてなる。
【００３７】
本実施形態の冷却塔１は、前記第１空冷部２１が、外側から外気を導入し得るように塔の外縁部に沿って備えられてなり、間接接触熱交換器２１ｂが、外側に配され、第１直接接触熱交換器２１ａが、間接接触熱交換器２１ｂよりも内側で間接接触熱交換器２１ｂに隣接するように配置されてなる。
【００３８】
本実施形態の冷却塔１は、必要に応じて、第１直接接触熱交換器２１ａ又は間接接触熱交換器２１ｂに供給される原水の流量を調整する流量調整機構（図示せず）が備えられてなる。
前記流量調整機構（図示せず）による流量調整の例として、外気温の低い早朝などは、比較的白煙が多くなる傾向がある為、第１空冷部の間接接触熱交換器２１ｂへの水量を多くし、第１直接接触熱交換器２１ａの水量を減ずれば、間接接触熱交換器２１ｂを通過した外気の蒸発湿分の上昇を抑え、排出時の白煙化を減ずる事が可能となる。
また、外気温度が上昇する昼間においては、逆に第１直接接触熱交換器２１ａへの水量を増加させる事により、原水の冷却温度を上昇させず使用する事が可能となる。
【００３９】
また、本実施形態の冷却塔１は、必要に応じて、空冷部２に供給される外気の温度を測定する外気温度測定手段（図示せず）が備えられてなる。また、本実施形態の冷却塔１は、得られた測定値に基づいて、前記流量調整機構（図示せず）により、前記第１直接接触熱交換器２１ａ又は間接接触熱交換器２１ｂに供給される原水の流量が調整されるように構成されてなる。さらに、本実施形態の冷却塔１は、前記外気温度測定手段（図示せず）によって測定された測定値が基準値以下若しくは基準値未満の場合に、前記流量調整機構（図示せず）が制御されて、第１直接接触熱交換器２１ａに供給される原水の流量が第１直接接触熱交換器２１ａの基準流量（第１基準流量）よりも少ない量に抑制され、又は間接接触熱交換器２１ｂに供給される原水の流量が間接接触熱交換器２１ｂの基準流量（第２基準流量）よりも多い量に増加されるように構成されてなる。
なお、夏季のように冷却塔の冷却能力が求められる季節は原水を全て第１直接接触熱交換器２１ａに供給するように制御し、冬季のように冷却能力は求められず、白煙の発生防止が求められる季節は原水を全て第１間接接触熱交換器２１ｂに供給するように制御することが好ましい。
【００４０】
前記外気の基準値は、第１空冷部２１や第２空冷部２２の規模、原水の温度、冷却する必要がある原水の量等により適宜設定されてなる。
【００４１】
前記第１基準流量、前記第２基準流量それぞれは、第１直接接触熱交換器２１ａのサイズ、間接接触熱交換器２１ｂのサイズ、原水の温度、冷却する必要がある原水の量等により適宜設定することができる。
【００４２】
前記第２空冷部２２は、第２直接接触熱交換器２２ａを備えてなり、第１空冷部２１で空冷された原水が更に第２直接接触熱交換器２２ａにより空冷されるように構成されてなる。
【００４３】
前記第２直接接触熱交換器２２ａは、第１空冷部２１で冷却された原水を外気に直接接触させて冷却するように構成されてなる。
具体的には、前記第２直接接触熱交換器２２ａは、突起を有する充填材シートが複数枚略等間隔に積層され各層間にて原水と吸引導入された外気とが熱交換される第２充填材ユニットが充填されてなる。
前記第２直接接触熱交換器２２ａにおいては、該充填材シートが積層される方向の単位長さ当たりにおける該充填材シートの枚数が２５〜４０枚／ｍとなるように、該充填材シートが積層されてなる。
また、前記第２直接接触熱交換器２２ａは、第２原水分散槽２１ｃにより供給された原水が前記充填材シートどうしの間を流下するように構成されてなる。
【００４４】
本実施形態の冷却塔１は、第２直接接触熱交換器２２ａ内に引き込まれた外気が前記充填材シートどうしの間を水平方向に通過して該原水を直接接触により冷却するように構成されてなる。
【００４５】
本実施形態の冷却塔１は、第１空冷部２１で空冷された原水が第２原水分散槽２１ｃから第２直接接触熱交換器２２ａに分散供給されるように構成されてなる。また、本実施形態の冷却塔１は、該原水が第２直接接触熱交換器２２ａを流下しながら空冷されて生成された冷水がそのまま流下して冷水槽６で貯留されるように構成されてなる。
【００４６】
本実施形態の冷却塔１は、前記第１空冷部２１と第２空冷部２２とが、前記吸引排出手段たるファン４による吸引力が第１空冷部２１の方が大きくなる位置関係に配置されてなる。図１に於いては、本実施形態の冷却塔１は、前記第１空冷部２１が第２空冷部２２よりも上方に配置されてなる。
【００４７】
本実施形態の冷却塔１は、ファン４が回転することによって間接接触熱交換器２１ｂの側方から外気が間接接触熱交換器２１ｂ内に引き込まれ、該間接接触熱交換器２１ｂ内を通過した外気が第１直接接触熱交換器２１ａの側方から第１直接接触熱交換器２１ａ内に引き込まれ、該第１直接接触熱交換器２１ａを通過した外気が通気空間３内に引き込まれるように構成されてなる。
【００４８】
本実施形態の冷却塔１は、前記第１充填材ユニットを構成する充填材シートの突起の高さが、前記第２充填材ユニットを構成する充填材シートの突起の高さよりも低く設定されて、前記第１充填材ユニットを構成する充填材シートの積層の密度が、前記第２充填材ユニットを構成する充填材シートの積層の密度よりも高く設定され、かつ、第１充填材ユニットを構成する充填材シートが略等間隔に積層されてなる。
ここで、充填材シートの積層の密度とは、充填材シート同士が積層される積層方向に対する単位長さ当たりの充填材シートの積層枚数をいう。つまり、本実施形態では第１充填材ユニットを構成する充填材シートにおいて、充填材シート同士を接合するために設けられた充填材シートの突起の高さが低く設定されているため、積層する前記充填材シート間の距離（「隙間距離」ともいう。）が、前記第２充填材ユニットの隙間距離よりも短くなり、単位長さ当たり積層できる充填材シートの枚数を多くすることができる。なお、充填材シートの積層の密度を高くする場合には、例えば、該充填材シートが積層される方向の単位長さ当たりにおける該充填材シートの枚数が３０〜４５枚／ｍとなるように、該充填材シートが積層されてなる。
尚、「突起の高さ」とは、充填材シート同士が積層される積層方向に対する突起の長さを意味する。
また、第１空冷部では直接接触熱交換器と間接接触熱交換器が設置されているため、第１空冷部の直接接触熱交換器の設置面積は第２空冷部の直接接触熱交換器の設置面積よりも小さくなるが、前述の通り、第１充填材ユニットを構成する充填材シートの積層の密度を高くすることで、第１空冷部の直接接触熱交換器でも十分な冷却能力を確保することができる。また、積層の密度を高くすることにより圧力損失が若干大きくなったとしても、第１空冷部はファン４に近いため十分な風量を得ることができる。
【００４９】
本実施形態の冷却塔１は、第１空冷部２１で使用された外気及び第２空冷部２２で使用された外気が前記通風空間３で混合されて排出されるように構成されてなる。即ち、本実施形態の冷却塔１は、第１、第２直接接触熱交換器２１ａ、２２ａで使用された外気及び間接接触熱交換器２１ｂで使用された外気が前記通風空間３で混合されて排出されるように構成されてなる。
【００５０】
本実施形態の冷却塔１は、上記のように構成されているので、以下の利点を有するものである。
【００５１】
即ち、本実施形態の冷却塔１は、第２原水分散槽２１ｃの上方に第１直接接触熱交換器２１ａ、間接接触熱交換器２１ｂが配置されてなり、且つ第１直接接触熱交換器２１ａ、間接接触熱交換器２１ｂそれぞれで空冷された原水が流下して重力によって第２原水分散槽２１ｃに移送されるように構成されてなり、第１直接接触熱交換器２１ａ、間接接触熱交換器２１ｂそれぞれで空冷された原水を第２原水分散槽２１ｃに移送するための別途の装置が必要とされないため、冷却塔自体をより一層コンパクト化することができるという利点がある。
【００５２】
また、本実施形態の冷却塔１は、第２原水分散槽２１ｃの下方に第２空冷部２２が配置されてなり、且つ第２原水分散槽２１ｃに収容された原水が第２原水分散槽２１ｃの底の複数の開口部から重力によって第２空冷部２２に分散供給されるように構成されてなることにより、第２原水分散槽２１ｃに収容された原水を第２空冷部２２に移送するための別途の装置が必要とされないため、冷却塔自体をより一層コンパクト化することができるという利点がある。
【００５３】
尚、本実施形態の冷却塔１は、上記構成により、上記利点を有するものであったが、本発明の冷却塔は、上記構成に限定されず、適宜設計変更可能である。
【００５４】
即ち、本実施形態の冷却塔１は、間接接触熱交換器２１ｂが、外側に配され、且つ第１直接接触熱交換器２１ａが、間接接触熱交換器２１ｂよりも内側で間接接触熱交換器２１ｂに隣接するように配置されてなるが、第１直接接触熱交換器２１ａが、外側に配され、且つ間接接触熱交換器２１ｂが、第１直接接触熱交換器２１ａよりも内側で第１直接接触熱交換器２１ａに隣接するように配置されてもよい。
【００５５】
また、本実施形態の冷却塔１は、前記第１充填材ユニットを構成する充填材シートの積層の密度が、前記第２充填材ユニットを構成する充填材シートの積層の密度よりも高く設定されてなるが、前記第２充填材ユニットを構成する充填材シートの積層の密度と同程度に設定されてもよく、また、前記第２充填材ユニットを構成する充填材シートの積層の密度よりも低く設定されてもよい。
例えば、第１空冷部の直接接触熱交換器に供給される原水の量（最大設計流量）が多い場合、第１充填材ユニットを構成する充填材シートの積層の密度を、前記第２充填材ユニットを構成する充填材シートの積層の密度よりも低く設定し、例えば、第１充填材ユニットにおいて、該充填材シートが積層される方向の単位長さ当たりにおける該充填材シートの枚数が２０〜３５枚／ｍとなるように、該充填材シートが積層されてなる。これによって、第１充填材ユニットを構成する充填材シートで、原水による閉塞を防止すると共に、充填材シートの積層の密度を低くすることにより、第１空冷部を流れる空気量を十分に確保することが出来るので、第１空冷部で冷却能力を確保することができる。
【００５６】
また、本実施形態の冷却塔１は、第１空冷部２１に供給される原水の温度を測定する原水温度測定手段、及び冷却部２で生成された冷水の温度を測定する冷水温度測定手段の少なくとも何れかの一の測定手段を備えてもよい。また、本実施形態の冷却塔１は、外気温度測定手段で得られた測定値、原水温度測定手段で得られた測定値、冷水温度測定手段で得られた測定値の少なくとも何れかの一の測定値に基づいて、前記流量調整機構により、前記第１直接接触熱交換器２１ａ又は間接接触熱交換器２１ｂに供給される原水の流量が調整されるように構成されてもよい。
【００５７】
従来の白煙対策冷却塔において、直接接触熱交換器の上部に間接接触熱交換器を配置した場合、原水の送水高さが高くなり、送水動力が高くなる傾向にあった。
本実施形態の冷却塔では、第１冷却部に於いて、直接接触熱交換器の散水位置と間接接触熱交換器の散水位置とを略同一の高さに設定することができ、直接接触熱交換器に原水を供給するためのポンプ運転ヘッドを、間接接触熱交換器に原水を供給するためのポンプ運転ヘッドとしても用いることが可能となる。従って、ポンプ運転ヘッドを増加する必要性がなくなり、経済的となり得る。
【００５８】
さらに、本実施形態の冷却塔１では、コンパクトの観点から、前記間接接触熱交換器２１ｂとしてフィンチューブが備えてなるが、本実施形態の冷却塔１では、フィンチューブの代わりに、その他従来公知の間接接触熱交換器が備えられてもよく、例えば、シートが複数枚積層され、該シート間の隙間として、原水が供給される隙間（外気は透過しない隙間）と該原水を間接的に冷却するための外気が透過する隙間（原水が供給されない隙間）が積層方向に交互に設けられてなる間接接触熱交換器が備えられてもよい。
【符号の説明】
【００５９】
１：冷却塔、２：空冷部、３：通風空間、４：ファン、５：原水供給手段、５ａ：第１原水分散槽、５ｂ：原水供給部、６：冷水槽、２１：第１空冷部、２１ａ：第１直接接触熱交換器、２１ｂ：間接接触熱交換器、２１ｃ：第２原水分散槽、２２：第２空冷部、２２ａ：第２直接接触熱交換器
【図１】
0005386307.tif 000002